(57)【要約】【課題】既存の介護用リフト装置を、座位姿勢を保持できない被介護者でも利用可能とするため、工夫された構成の吊り具の提供。【解決手段】展開形状が略長方形で、被介護者の身体全体を載置可能な大きさのシート３と、シート３の対向する長辺縁側に並列状態でそれぞれ着脱自在に取付られた一対の剛性の支持バー１３、１３と、一対の支持バー１３、１３の軸方向両端側にそれぞれ着脱自在に架け渡され、一対の支持バー１３、１３の対向間隔を固定する剛性の固定バー２５と、吊りベルト２９とを備え、吊りベルト２９で吊り下げられたときでも、シート３が一対の支持バー１３、１３の間で展開状態に保持される。【選択図】  図１
2017217287.tif 000002
【特許請求の範囲】
【請求項１】
介護用リフト装置で吊り下げる移乗用吊り具であって、
展開形状が略長方形で、被介護者の身体全体を乗せることが可能な大きさのシートと、前記シートの対向する長辺縁側に並列状態でそれぞれ着脱自在に取付られる一対の剛性の支持バーと、前記一対の支持バーの軸方向両端側にそれぞれ着脱自在に架け渡され、前記一対の支持バーの対向間隔を固定する剛性の固定バーと、各支持バーと介護用リフト装置のハンガー側との間で着脱自在に架け渡される吊りベルトとを備え、
前記吊りベルトで吊り下げられたときでも、前記シートが前記一対の支持バーの間で展開状態に保持されることを特徴とする移乗用吊り具。
【請求項２】
請求項１に記載した移乗用吊り具において、
シートの長辺縁側にはそれぞれ縫着により複数の筒部が形成され、支持バーの軸方向中間二か所に閉鎖環部が、両端側には差込み孔がそれぞれ同じ径方向外方を向いて形成され、固定バーの軸方向両端側には差込み棒がそれぞれ同じ径方向外方を向いて形成されており、
前記支持バーは前記複数の筒部に挿通されることで前記シートに取り付けられ、前記筒部どうしの隙間から露出した前記閉鎖環部が吊りベルトの取付け部として利用され、前記筒部から抜け出た前記差込み孔に、前記固定バーの差込み棒が差し込まれて固定されることを特徴とする移乗用吊り具。
【請求項３】
請求項２に記載した移乗用吊り具において、
シートの一つの長辺縁側には筒部は４つ形成されており、その軸方向両端側の２つの隙間は閉鎖環部の露出用に利用され、中央の隙間は分割バーの挿通口として利用されており、
支持バーは前記分割バーが２本一組となって互いに同軸状に連結されたもので構成されていることを特徴とする移乗用吊り具。
【請求項４】
請求項１から３のいずれかに記載した移乗用吊り具において、
シートは柔軟性を有しており、折り畳んだり、丸めたりすることができることを特徴とする移乗用吊り具。
【請求項５】
請求項１から４のいずれかに記載した移乗用吊り具において、
吊りベルトは伸縮自在になっており、長さの確認用に、一定の間隔をあけて色分けされたラインが表示されていることを特徴とする移乗用吊り具。
【発明の詳細な説明】
【技術分野】
【０００１】
本発明は介護用リフト装置に吊り下げる移乗用吊り具に関するものである。
【背景技術】
【０００２】
近年、高齢者用の介護施設においては介護用リフト装置が使用されるようになってきている。この介護用リフト装置は、特許文献１に記載されているように、天井に設置したレールでハンガーを走行させ、そのハンガーに吊り具を介して被介護者を持ち上げ支持させるようになっている。介護用リフト装置を利用することで、ベッドと車椅子、車椅子とトイレ、車椅子と浴室の間等で被介護者を移乗させる際に、介助者が抱きかかえずに済み、介助者の負担が格段に軽減されている。
而して、この種の介護用リフト装置では、特許文献２に示されているようなスリングシート等を吊り具として利用し、そこに被介護者を座らせており、被介護者が座位姿勢を保持できることが前提となっている。
【先行技術文献】
【特許文献】
【０００３】
【特許文献１】特開２００１−２８６５１３号公報
【特許文献２】特開２０１０−１１８９２号公報
【発明の概要】
【発明が解決しようとする課題】
【０００４】
ところで、介護施設には、障害児入所施設のように、重度心身障碍児（者）が被介護者として入所している施設があり、そこでは、座位姿勢を保持できないため、車椅子は利用していないが、日中はディルームで過ごし、寝るときに寝室に移動するような生活を送っている者も多い。
このような被介護者をディルームと寝室との間で移動させるときには、ストレッチャーのような搬送台に載せているが、この搬送台への移乗の際には、上記したような介護用リフト装置は利用できないため、介助者の人力による移乗介助に頼っているのが現状である。
【０００５】
しかしながら、このような移乗介助は、被介護者に一時的に無理な姿勢を強制するため身体的苦痛を与えることになる。また、介助者に過重な負担が掛かるため、被介護者を落としたり、同時に転倒してしまったりする危険性が付きまとっている。更に、介助者に日常的に過重な負担が掛かるため、腰痛を引き起こすリスクが高まる。加えて、被介護者１人を移乗させるのに、抱きかかえる介助者だけでなく、それを補助する介助者も併せると、合計で介助者が３〜４人必要となり、介助者の確保に苦労している施設側にとっても負担が大きい。
【０００６】
本発明は上記従来の問題点に着目して為されたものであり、既存の介護用リフト装置を、座位姿勢を保持できない被介護者でも利用可能とするため、工夫された構成の吊り具を提供することを、その目的とする。
【課題を解決するための手段】
【０００７】
本発明は上記課題を解決するためになされたものであり、請求項１の発明は、介護用リフト装置で吊り下げる移乗用吊り具であって、展開形状が略長方形で、被介護者の身体全体を乗せることが可能な大きさのシートと、前記シートの対向する長辺縁側に並列状態でそれぞれ着脱自在に取付られる一対の剛性の支持バーと、前記一対の支持バーの軸方向両端側にそれぞれ着脱自在に架け渡され、前記一対の支持バーの対向間隔を固定する剛性の固定バーと、各支持バーと介護用リフト装置のハンガー側との間で着脱自在に架け渡される吊りベルトとを備え、前記吊りベルトで吊り下げられたときでも、前記シートが前記一対の支持バーの間で展開状態に保持されることを特徴とする移乗用吊り具である。
【０００８】
請求項２の発明は、請求項１に記載した移乗用吊り具において、シートの長辺縁側にはそれぞれ縫着により複数の筒部が形成され、支持バーの軸方向中間二か所に閉鎖環部が、両端側には差込み孔がそれぞれ同じ径方向外方を向いて形成され、固定バーの軸方向両端側には差込み棒がそれぞれ同じ径方向外方を向いて形成されており、前記支持バーは前記複数の筒部に挿通されることで前記シートに取り付けられ、前記筒部どうしの隙間から露出した前記閉鎖環部が吊りベルトの取付け部として利用され、前記筒部から抜け出た前記差込み孔に、前記固定バーの差込み棒が差し込まれて固定されることを特徴とする移乗用吊り具である。
【０００９】
請求項３の発明は、請求項２に記載した移乗用吊り具において、シートの一つの長辺縁側には筒部は４つ形成されており、その軸方向両端側の２つの隙間は閉鎖環部の露出用に利用され、中央の隙間は分割バーの挿通口として利用されており、支持バーは前記分割バーが２本一組となって互いに同軸状に連結されたもので構成されていることを特徴とする移乗用吊り具である。
【００１０】
請求項４の発明は、請求項１から３のいずれかに記載した移乗用吊り具において、シートは柔軟性を有しており、折り畳んだり、丸めたりすることができることを特徴とする移乗用吊り具である。
【００１１】
請求項５の発明は、請求項１から４のいずれかに記載した移乗用吊り具において、吊りベルトは伸縮自在になっており、長さの確認用に、一定の間隔をあけて色分けされたラインが表示されていることを特徴とする移乗用吊り具である。
【発明の効果】
【００１２】
本発明の移乗用吊り具によれば、展開されたシートに被介護者を臥位状態で乗せて、介護用リフト装置で吊り下げることができる。従って、被介護者が座位姿勢を保持できなくとも、介護用リフト装置を移乗用に利用できる。
【図面の簡単な説明】
【００１３】
【図１】本発明の実施の形態に係る移乗用吊り具の分解斜視図である。
【図２】図１の吊りベルトの拡大斜視図である。
【図３】移乗先のストレッチャーの斜視図である。
【図４】図１の移乗用吊り具を利用した移乗介助作業の説明図である。
【図５】図４に続く、移乗介助作業の説明図である。
【図６】図５に続く、移乗介助作業の説明図である。
【図７】図６に続く、移乗介助作業の説明図である。
【図８】図７に続く、移乗介助作業の説明図である。
【図９】図８に続く、移乗介助作業の説明図である。
【図１０】図９に続く、移乗介助作業の説明図である。
【図１１】図１０に続く、移乗介助作業の説明図である。
【図１２】図１１に続く、移乗介助作業の説明図である。
【図１３】図１２に続く、移乗介助作業の説明図である。
【発明を実施するための形態】
【００１４】
本発明の実施の形態に係る移乗用吊り具１を図面にしたがって説明する。
この移乗用吊り具１は、介護用リフト装置（後述）の吊り具として利用するものである。
図１に示すように、移乗用吊り具１は複数の部材の組み合わせにより構成されており、これらの部材の組立・分解は現場の介助者が容易にできるようになっている。
以下、各部材について説明する。
【００１５】
符号３はシートを示し、このシート３は成人男性一人の体重を支えることができる強度だけでなく柔軟性も有る合成樹脂材で形成されている。従って、折り畳んだり丸めたりすることができる。シート３は成人男性の身体全体を臥位状態で乗せることができるよう、ある程度の余裕をもったサイズの長方形になっている。
シート３には、一対の長辺縁があるが、各長辺縁は中央部分とその両側の二つの部分がそれぞれ矩形状に切り欠かれており、各切欠き部分は内方への切欠き深さ（すなわち、対向する長辺縁方向へ延びる切欠き深さ）が同じになっているが、中央部分の切欠き幅はその他の２つの部分に比べて大きくなっている。両側の２つの切欠き部分は、長辺方向に対称になるように配置されている。
【００１６】
長辺縁は裏面側に折り返され縫着されて筒部が作られている。上記したように切欠き部分が形成されているので、その部分で筒部が分断されており、一つの長辺縁に、４つの筒部５、５、７、７が作られている。
筒部５、５は中心側にあり、その間が中央部分の切欠きにより分断されて比較的広い隙間９ができている。また、筒部７、７は両端側にあり、隣り合う筒部５、５との間も分断されて比較的狭い隙間１１、１１ができている。
【００１７】
符号１３は剛性の支持バーを示し、この支持バー１３は２つの金属製の円筒状の分割バー１５、２１で構成されている。
分割バー１５の中間にＵ字金具１７が取り付けられており、ベルト挿通用の閉鎖環部として利用される。このＵ字金具１７はベルトの挿通方向が分割バー１５の軸方向と直交するように取り付けられている。また、分割バー１５の軸方向一端側には筒肉を貫通して差込み孔１９が形成されている。この差込み孔１９はＵ字金具１７と同じ径方向外方を向くように形成されている。
【００１８】
分割バー２１にも同様に中間にＵ字金具１７が取り付けられ、軸方向一端側に差込み孔１９が形成されている。分割バー２１は、軸方向他端側に同軸状に外径の小さい内筒２３が連設されており、その分だけ分割バー１５よりも長くなっている。
分割バー１５、２１は同径であり、分割バー１５の他端側に内筒２３が内嵌されると、分割バー１５の端面と分割バー２１の端面が同軸状に突き当たって、１本の支持バー１３となる。この支持バー１３は、上記の突き当て部分を境界して２つのＵ字金具１７、１７と２つの差込み孔１９、１９が同じ方向を向いた状態で使用される。支持バー１３はシート３の長辺寸法よりも長くなっている。
支持バー１３は、上記したシート３側の筒部５、７に容易に通すことができるよう設計されている。
【００１９】
符号２５は剛性の固定バーを示し、この固定バー２５は金属製の円筒体で構成されている。
この固定バー２５の軸方向両端側には、差込み棒２７、２７が取り付けられており、それらは同じ径方向外方を向いて立っている。
この差込み棒２７、２７は、上記した支持バー１３側の差込み孔１９に差し込めるように設計されている。
【００２０】
符号２９は吊りベルトを示す。この吊りベルト２９の一端側は折り返され、２つの長さ調整具３１、３１に通されて輪３３が形成されている。他端側にはカラビナフック３５が取り付けられている。
また、図２に示すように、吊りベルト２９には同じ間隔をあけて目印用に複数の色分け表示されたライン３７が表示されている。
従って、吊りベルト２９の長さを調整する際には、折り返して上下で重なったライン３７、３７の色で吊りベルト２９の長さを確認できる。
【００２１】
吊りベルト２９は、４つのＵ字金具１７に各別に対応して４本用意されている。
なお、カラビナフック３５の保護用に専用カバー３９も用意されており、使用しないときには被せて、周囲のものに引っ掛かったりしないように配慮されている。
【００２２】
移乗用吊り具１は、上記した複数の部材で構成されており、ベッドで寝ていた被介護者を図３に示すようなストレッチャー４１に移乗させる。
このストレッチャー４１は、長方形のフレーム４３にシート４５を張設したものであり、シート４５に被介護者を臥位状態で乗せることができるようになっている。
【００２３】
このフレーム４３の長手側には上下方向に貫通して貫通孔４７が形成されており、その下側には挿入筒４９が同軸状に取り付けられている。この（貫通孔４７〜挿入筒４９）で取付け部５１が構成されており、この取付け部５１は２つで一組となって、一つの長手側に二組ずつ備えられている。
符号５３はサイドガードを示し、このサイドガード５３の下側には２本の挿入棒５５、５５が取り付けられている。この挿入棒５５は、取付け部５１の貫通孔４７に上側から入れ、さらに挿入筒４９まで挿入できるよう設計されている。
この２つの挿入棒５５、５５を上記したように一組の取付け部５１、５１に挿入すると、サイドガード５３がフレーム４３から立ち上がった状態で支持される。サイドガード５３は４つ用意されており、長手側に２つずつ取り付けて、シート４５を壁状に囲むことができるようになっている。
【００２４】
以下、移乗用吊り具１を利用した、ベッド５７からストレッチャー４１への移乗介助作業の手順を説明することで、移乗用吊り具１の使用方法を示す。
移乗用吊り具１側の準備として、シート３、分割バー１５、２１（支持バー１３）、固定バー２５、吊りベルト２９を組立て前の状態で分けておく。また、シート３は、表面を内側にして、長手方向が軸方向となるように筒状に丸めておく。
【００２５】
その上で、先ず、図４に示すように、ベッド５７上に仰臥位状態にある被介護者Ａを転がして左横臥位状態に体位変換しながら右側に寄せ、ベッド５７の左側の空いたスペースにシート３を載せる。シート３は、筒部５、７の有る長辺縁側をベッド５７の左側に寄せて、空いたスペースに広げる。
次に、図５に示すように、その広げられたシート３に向かって、被介護者Ａを今度は逆方向に転がし、シート３上に右横臥位状態で乗せ、ベッド５７の右側にスペースを空ける。そこに、シート３の残りをさらに広げてシート３全体をベッド５７上に展開した状態とする。そして、その展開したシート３の中央に、被介護者Ａを転がし仰臥位状態に戻して乗せる。図６はその状態を示している。
【００２６】
この状態で、２つの支持バー１３をシート３の対向する左右２つの長辺縁にそれぞれ取り付ける。
先ず、分割バー１５を差込み孔１９側の端部を先頭にして中央の隙間９から上側の２つの筒部５、７に順に挿通させる。次に、分割バー２１を同様に差込み孔１９側の端部を先頭にして中央の隙間９から下側の２つの筒部５、７に順に挿通させる。そして、分割バー１５に分割バー２１の内筒２３を嵌合連結させて、一本の支持バー１３にしている。支持バー１３の中間に配置されたＵ字金具１７、１７は筒部５、７どうしの隙間１１から露出させ、両端側に配置された差込み孔１９、１９はシート３の端よりはみ出させ、共に天井側を向かせておく。
このように、支持バー１３、１３をシート３の対向する長辺縁側にそれぞれ取り付けると、図７に示すように、シート３を挟んで並列した状態になる。
２本の短い分割バー１５、２１を中央の隙間９から差し込んでいるので、ベッドの周囲に余裕が無くとも、長い支持バー１３をシート３に取り付けることができるようになっている。
【００２７】
次に、図８に示すように、４本の吊りベルト２９を取りだし、それぞれのカラビナフック３５を４つのＵ字金具１７にそれぞれ連結させた後、図９に示すように、介護用リフト装置のハンガー５９をシート３の上空にもってきて、各吊りベルト２９の輪３３を掛止させる。ハンガー５９は左右両端側が掛止部６１、６１になっており、左側の支持バー１３に連結された２本の吊りベルト２９、２９は、ハンガー５９の左側の掛止部６１に掛止させ、右側の支持バー１３に連結された２本の吊りベルト２９、２９は、右側の掛止部６１に掛止させる。
従って、ハンガー５９が上昇して吊りベルト２９が緊張すると、左右の支持バー１３側でそれぞれ、２つの吊りベルト２９、２９が三角形の二辺をなして、バランス良くシート３が吊り下げられる。
【００２８】
また、左右の支持バー１３、１３の両端どうしに固定バー２５、２５をそれぞれ架け渡す。固定バー２５の差込み棒２７、２７の間隔は丁度支持バー１３、１３どうしの間隔に対応して設計されているので、支持バー１３の差込み孔１９、１９にスムーズに差し込める。差し込むと、図１０に示すように、一対の支持バー１３、１３と一対の固定バー２５、２５によって四角形の枠が形成される。
【００２９】
ハンガー５９を搬送用の高さまで上昇させると、シート３には被介護者Ａの全体重が掛かって丸まろうとするので、図１１に示すように、支持バー１３側では、分割バー１５と分割バー２１に、矢印に示すように、互いに突き当て方向に向かう力が作用する。従って、内筒２３が分割バー１５から脱落することは無い。また、固定バー２５側でも、固定バー２５側の差込み棒２７、２７の左右外方側の側面に支持バー１３側の差込み孔１９の孔縁が圧接するので、固定バー２５は支持バー１３に対して回動せず、一対の支持バー１３、１３の対向間隔が固定される。従って、被介護者Ａの体重に抗して、シート３は展開状態に保持される。
【００３０】
従って、図１２に示すように、被介護者Ａを仰臥位状態のまま載せて、ストレッチャー４１まで搬送することができる。ストレッチャー４１上にくると、ハンガー５９を下降させて、被介護者Ａが乗せられたシート３をストレッチャー４１上に降ろす。
次いで、固定バー２５、２５、吊りベルト２９、２９、２９、２９、支持バー１３、１３を順に取り外すと、シート３だけが残り、ストレッチャー４１のシート４５上には、シート３を介して被介護者Ａがそのまま乗った状態となり、ストレッチャー４１のフレーム４３に設けられた取付け部５１（貫通孔４７〜挿入筒４９）にサイドガード５３を設置することができる。
【００３１】
以上、本発明の実施の形態について詳述してきたが、具体的構成は、この実施の形態に限られるものではなく、本発明の要旨を逸脱しない範囲における設計の変更などがあっても発明に含まれる。
【符号の説明】
【００３２】
１…移乗用吊り具      ３…シート          ５、７…筒部        ９、１１…隙間
１３…支持バー        １５、２１…分割バー                    １７…Ｕ字金具
１９…差込み孔        ２３…（分割バー２１側の）内筒          ２５…固定バー
２７…差込み棒        ２９…吊りベルト    ３１…長さ調整具    ３３…輪
３５…カラビナフック  ３７…ライン        ３９…カバー
４１…ストレッチャー  ４３…フレーム      ４５…シート        ４７…貫通孔
４９…挿入筒          ５１…取付け部      ５３…サイドガード  ５５…挿入棒
５７…ベッド          ５９…（介護用リフト装置の）ハンガー    ６１…掛止部
Ａ…被介護者
【図１】
2017217287.tif 000003
【図２】
2017217287.tif 000004
【図３】
2017217287.tif 000005
【図４】
2017217287.tif 000006
【図５】
2017217287.tif 000007
【図６】
2017217287.tif 000008
【図７】
2017217287.tif 000009
【図８】
2017217287.tif 000010
【図９】
2017217287.tif 000011
【図１０】
2017217287.tif 000012
【図１１】
2017217287.tif 000013
【図１２】
2017217287.tif 000014
【図１３】
2017217287.tif 000015